(57)【要約】【課題】  被写体の形態やサイズに応じた自由度の高い撮影スペースを簡単に形成することができ、しかも、ストロボ光の利用効率がよいストロボ撮影用のミニチュア写真スタジオを提供する。【解決手段】  撮影スペースを形成するための面材料として、波打ち加工したコルゲート紙２１Ａの片面に平面紙２１Ｂを張り合わせた構成のリフレクタ板２１を用いる。このような構成のリフレクタ板２１は、特定方向についての易屈曲性と、その直交方向についての難屈曲性とを発揮することができる。そこで、リフレクタ板２１を被写体Ｍを取り囲むように変形させてその場で自立させることによって、自由な形状の撮影スペースを形成することができる。また、リフレクタ板２１は、撮影スペース形成後においても、ストロボ光と被写体Ｍとの関係を最適化するために自在に調節することができる。【選択図】  図１
2008065241.tif 000002
【特許請求の範囲】
【請求項１】
サインウェーブ状の波打ち加工をしたコルゲート紙の片面に平面紙を貼り合わせることによって波方向に沿っての易屈曲性と波に直交する方向に対しての難屈曲性とを併有するようにしたリフレクタ板と、一端を巻取り収納用のロール芯に貼着してなる少なくとも１枚の背景幕とを備え、
前記リフレクタ板は、前記易屈曲性を利用して被写体を取り囲むように自在に屈曲させるとともに前記難屈曲性を利用してその場で自立させ、前記ロール芯は、自立させたリフレクタ板の上端縁の任意の２点間に横設し、前記背景幕は、前記リフレクタ板の上端縁位置に横設したロール芯から被写体の後方を通過して被写体の下側に及ぶように円滑に屈曲させて下垂させることを特徴とするストロボ撮影用のミニチュア写真スタジオ。
【請求項２】
前記リフレクタ板は、前記コルゲート紙と平面紙とのいずれか一方または双方の表面に金属粉入りの白色系塗料または金属皮膜からなる反射層を備えることを特徴とする請求項１に記載のストロボ撮影用のミニチュア写真スタジオ。
【請求項３】
前記リフレクタ板は、着脱自在の貼着手段を介して連結可能な延長リフレクタ板を備えることを特徴とする請求項１または請求項２に記載のストロボ撮影用のミニチュア写真スタジオ。
【請求項４】
収納筒を備え、前記ロール芯に前記背景幕とリフレクタ板を順次に巻取った上、収納筒に収納可能としてなる請求項１ないし請求項３のいずれか１項に記載のストロボ撮影用のミニチュア写真スタジオ。
【発明の詳細な説明】
【技術分野】
【０００１】
本発明は、通信販売目的等の小物商品の写真撮影に際し、カメラ付属のストロボ光を最大限に利用して商品の形態を写真画像として明確に再現させることを目的とし、併せて、使用しないときには、ロール状に巻き取ることによって場所を取らずに収納しておくことができるストロボ撮影用のミニチュア写真スタジオに関する。
【背景技術】
【０００２】
画像入力機能を有するパーソナルコンピュータ及び高度な撮影技術を要しないデジタルカメラや廉価で高性能なカラープリンタの一般的普及に伴い、ホームページ掲載用、カタログや書籍掲載用の写真を自作する人が増えている。
【０００３】
しかし、同等の性能を有するカメラを使用したとしても、職業カメラマンが撮影した写真とアマチュアカメラマンのそれとでは、写真画像の品質に少なからない差違が生じることが多い。そして、このような写真画像におけるプロとアマチュアとの格差は、主に、被写体に照射される光線を撮影の目的に応じてコントロールすることができる撮影器材を所有しているか否かの差違によって生じるということができる。アマチュアが商品写真を自作する場合においては、商品コストとの兼ね合いや準備できる撮影スペースとの関係においても、職業カメラマンの場合のような豊富な撮影機材を自在に利用することは、一般には困難である。
【０００４】
商品写真における写真画像は、商品の質感や形態を客観的に現すものであることが要求される。このため、例えば、風景写真においては有効な効果要素となり得る陰影やハレーション、不要な背景、他物の映り込み等は、商品写真においては、商品の質感や形態を不明確にし、消費者の購買意思決定を阻害または遅延させる要因として嫌忌される。また、小物商品の写真撮影は、室内において行われることが多いため、撮影に際して自然光を利用することができる機会は少ない。また、家庭内照明としての蛍光灯は、写真撮影用には光量不足であるとともに、被写体である物品の色相の再現性に問題があり、これにのみ依存することもできない。したがって、アマチュアカメラマンとしては、カメラ付属のストロボを最大限に活用することが求められる。
【０００５】
このような実情から、被写体を専ら小物商品として想定したアマチュア向けの写真スタジオが各種考案されて市場に提供されるに至っている。従来提案されている写真スタジオの例としては、次のようなものを挙げることができる。
【特許文献１】実用新案登録第３０７４９３４号公報
【特許文献２】特開平１０−２０３６８号公報
【特許文献３】特開平１０−２６０４６１号公報
【特許文献４】特開２００１−２７７７６号公報
【特許文献５】特開２００２−２５８３６５号公報
【発明の開示】
【発明が解決しようとする課題】
【０００６】
従来の写真スタジオが有する構成要素を概観するに、最も基本的な要素は、６面の中から選択する３面以上の面によって被写体の撮影スペースが形成されることである。この撮影スペースの大きさは、通常変更することができず、このことによって撮影に適する被写体のサイズが、限定される。したがって、特定の種類の商品のみを扱う場合には、問題が生じないのであるが、多種類の商品を扱う場合における撮影に対応できないという基本的な問題がある。ただし、特許文献５に示すものは、設置スペースの背後面をＶ字上に屈曲させることによって、左右の側面を幅寄せするようにして撮影スペースを狭める方向にのみ変化させることができる。しかし、この場合には、同文献にいう、バックグランドシートが使用できないことから、床面と背後面との境界線および背後面の折曲げ線が被写体の背後に映り込んでしまい、厳格に無背景であることを要求されるような用途には利用し難いと考えられる。
【０００７】
被写体の撮影スペースを形成する面には、照明を半透過するシート材と照明を反射する反射面とのいずれか一方または双方が採用されている。この際、半透過性のシート材は、その外部に設置される照明用の光源に照らされて、被写体に対して一種の面光源として作用するように意図されている。しかし、半透過性のシート材は、光源からの光の利用効率が著しく低いため、専用の光源を必要とし、光源の出力が小さい場合には、撮影スペース内の照度が確保できないという問題がある。また、シート材は、その性質上自立性がないためにフレームや枠体を必要とし、提供者側の主張にもかかわらず、現実にはセッティングや分解収納が極めて煩雑である。一方、撮影スペースを形成する反射面は、撮影スペース内に取り込んだ光線を効率よく利用する意図で採用されているものであるが、平面であるために被写体に対する集光効果には乏しい。
【０００８】
本発明は、カメラ付属のストロボ光の利用効率を最大限に活用することによってカメラ付属のストロボ光のみでも一定レベルの画像品質が得られるとともに、被写体のサイズや形状に応じて自由なサイズおよび形状の撮影スペースを形成することが可能であって、セッティングや分解収納に関しても、従来以上の簡便性を実現したストロボ撮影用のミニチュア写真スタジオすることを目的とする。なお、ストロボ撮影用といっても、他の照明器具を併用することを禁止する趣旨ではないことは当然である。
【課題を解決するための手段】
【０００９】
この目的を達成するための手段として本発明は、次のような構成を採用する。
【００１０】
本発明に係るストロボ撮影用のミニチュア写真スタジオの請求項１に対応する構成は、サインウェーブ状の波打ち加工をしたコルゲート紙の片面に平面紙を貼り合わせることによって波方向に沿っての易屈曲性と波に直交する方向に対しての難屈曲性とを併有するようにしたリフレクタ板と、一端を巻取り収納用のロール芯に貼着してなる少なくとも１枚の背景幕とを備え、リフレクタ板は、その易屈曲性を利用して被写体を取り囲むように自在に屈曲させるとともに、その難屈曲性を利用してその場で自立させ、また、ロール芯は、自立させたリフレクタ板の上端縁の任意の２点間に横設し、背景幕は、リフレクタ板の上端縁位置に横設したロール芯から被写体の後方を通過して被写体の下側に及ぶように円滑に屈曲させて下垂させることを特徴とする。
【００１１】
上記構成に係るミニチュア写真スタジオにおけるリフレクタ板は、波打ち加工したコルゲート紙と平面紙とを張り合わせて形成されている。すなわち、リフレクタ板には、波方向に沿って、波の谷の部分においてコルゲート紙と平面紙とが直接に重なった部分と、波の山の部分においてコルゲート紙が平面紙との間に空間が形成された立体部分が交互に形成されている。このような構成を有するリフレクタ板は、波方向に沿っては、コルゲート紙の波が圧縮または伸張するように変形することによって極めて容易に屈曲することができる易屈曲性を発揮することができるとともに、波に直交する方向に対しては、コルゲート紙と平面紙とが互いに突っ張り合うことによって容易には変形しない難屈曲性を発揮することができる。したがって、リフレクタ板は、波方向を上下方向として全体が１平面とならないように屈曲させることによって、屈曲させた形状を維持してその場で自立することができる。また、リフレクタ板を構成するコルゲート紙は、巨視的には平面物体としての全反射特性と、微視的には凹凸物体としての乱反射特性を発揮することができる。リフレクタ板は、被写体の性状に応じて、コルゲート紙を内側として使用することも、平面紙を内側としても使用することができる。例えば、被写体の表面性状がハイライト等の生じ易いものである場合には、コルゲート紙の乱反射特性を利用するためにコルゲート紙を内側として使用することができる。また、いずれの面を内側として使用する場合においても、カメラアングルと被写体との位置関係に応じて、リフレクタ板を自在に変形させることによって、被写体にカメラのストロボ光が集め、ストロボ光を最大限に活用しての撮影が可能となる。なお、背景幕は、被写体を設置する床面とリフレクタ板との境界線やリフレクタ板の凹凸が背景として映り込むのを防止する機能を担当する。
【００１２】
本発明に係るストロボ撮影用のミニチュア写真スタジオの請求項２に対応する構成は、そのリフレクタ板が、コルゲート紙と平面紙とのいずれか一方または双方の表面に金属粉入りの白色系塗料または金属皮膜からなる反射層を備えることを特徴とする。
【００１３】
上記構成に係るリフレクタ板は、いずれもストロボ光の反射効率を高めることができる。この際、金属粉入りの白色系塗料からなる反射層は、それ自体で乱反射特性を発揮することができる。また、金属皮膜からなる反射層は、コルゲート紙または平面紙の製造段階において張り合わせる手段によって簡単に形成することができる。
【００１４】
本発明に係るストロボ撮影用のミニチュア写真スタジオの請求項３に対応する構成は、リフレクタ板が、着脱自在の貼着手段を介して連結可能な延長リフレクタ板を備えることを特徴とする。
【００１５】
上記構成に係るリフレクタ板は、延長リフレクタ板を連結することによってよりサイズの大きな被写体を取り囲む撮影スペースを形成することができるので、ミニチュア写真スタジオの被写体に対する適用範囲を拡大することができる。
【００１６】
本発明に係るストロボ撮影用のミニチュア写真スタジオの請求項４に対応する構成は、  収納筒を備え、ロール芯に背景幕とリフレクタ板を順次に巻取った上、収納筒に収納可能とすることを特徴とする。
【００１７】
上記構成に係るミニチュア写真スタジオは、リフレクタ板が波方向に沿って易屈曲性を有することを利用して、ロール芯に背景幕とともにリフレクタ板を巻き取ることができる。そして、巻き取った際のリフレクタ板の形態は、円筒形であることから、巻取り直径相当の内径を有する収納筒に収納することによって、最小限の形態として保管することができる。
【発明の効果】
【００１８】
本発明のストロボ撮影用のミニチュア写真スタジオは、コルゲート紙と平面紙とを張り合わせることによって、特定方向についての易屈曲性と、その直交方向についての難屈曲性とを実現したリフレクタ板の採用によって、易屈曲性を利用してリフレクタ板で被写体を取り囲むように変形させて、難屈曲性を利用してその場で自立させておくことができるので、なんらの支持部材等を要することなく被写体の外形に応じた撮影スペースをきわめて容易に形成することができる。撮影に際しては、カメラ付属のストロボ光が被写体に集光するようにリフレクタ板を変形調節することができるので、ストロボ光を効率よく活用することができる。また、収納に際しては、リフレクタ板の易屈曲性を利用して背景幕とともにロール芯に巻き取ることができるので、使用後の収納作業が容易であって、収納スペースも最小限で足りる。
【発明を実施するための最良の形態】
【００１９】
以下、図面を引用しながら本発明の実施の形態を説明する。
本発明に係るストロボ撮影用のミニチュア写真スタジオ２０は、リフレクタ板２１と、ロール芯２２と、一端をロール芯２２に貼着した３枚の背景幕２３，２３…とからなる（図１）。
【００２０】
リフレクタ板２１は、サインウェーブ状の波打ち加工をしたコルゲート紙２１Ａと、平面紙２１Ｂとを貼り合わせてなる（図１，図２）。このような構成は、片面ダンボール紙の構成と同等であるため、市販の片面ダンボール紙を断裁して利用することもできる。ただし、その材質は、パルプ系のものに限定されない。例えば、樹脂材料から同等の構成を実現することもできる。
【００２１】
リフレクタ板２１を構成しているコルゲート紙２１Ａの波密度は、汎用ダンボール紙のコアとして用いられているコルゲートコアの波密度に比較して格段に大きく、幅１０センチメートル当たり２０山（２０谷）程度のものを使用している。また、コルゲート紙２１Ａおよび平面紙２１Ｂの表面には、アルミニウム系の金属箔をラミネートした図示しない反射層が形成されている。なお、市販の片面ダンボール紙を利用する場合には、後付で金属箔をラミネートすることは困難である。したがって、この場合には、金属粉入りの白色系塗料を吹き付け塗装することによって、反射層を形成することができる。また、コルゲート紙２１Ａおよび平面紙２１Ｂが白色仕上げされているものについては、反射層を省略しても使用可能である。
【００２２】
リフレクタ板２１におけるコルゲート紙２１Ａは、巨視的には入射角と反射角とが等しくなる通常の全反射特性（図２の光線Ｐ１で示す）と、微視的には凹凸紙としての乱反射特性（図２に光線Ｐ２で示す）を発揮することができる。これは、コルゲート紙２１Ａの波密度を意図的に密に設定していることにより、コルゲート紙２１Ａが巨視的に平面として機能するためである。したがって、波密度を低いコルゲート紙２１Ａを採用した場合には、コルゲート紙２１Ａは、乱反射特性のみを示すようになる。
【００２３】
このようなリフレクタ板２１は、コルゲート紙２１Ａの波方向に沿って極めて容易に変形する易屈曲性を発揮するとともに（図２）、波に直交する方向に対しては容易に屈曲しない難屈曲性を発揮することができる（図１）。これは、コルゲート紙２１Ａにおいて、その波を波長として捉えた場合において、波長が伸縮する方向の変形が許容される反面、その直交方向の変形が容易には許容されないためである。したがって、リフレクタ板２１は、波方向を上下方向として波に沿って適度な屈曲姿勢をとれば、支持部材等を要することなく自立することができる。なお、この際、リフレクタ板２１は、被写体の性状によってコルゲート紙２１Ａを内側として使用することも、平面紙２１Ｂを内側としても使用することができる。
【００２４】
ロール芯２２は、紙管または樹脂管からなる。３枚の背景幕２３，２３…は、段差を少なくするために貼着位置をずらせてロール芯２２に貼着されている。３枚の背景幕２３，２３…には、それぞれ、色調が異なる可撓性のシート材が用いられている。ロール芯２２は、リフレクタ板２１の使用上の上端縁に予め形成した切欠き部２１Ｃ，２１Ｃに落とし込むようにして横設し、任意の色調の背景幕２３を前面側として下端を手前に引き出すように下垂させる。そして、引き出した背景幕２３の上に被写体Ｍを位置決めする（図１，図３）。なお、リフレクタ板２１の切欠き部２１Ｃ，２１Ｃは、多数並設しておき、その１対を選択して使用するようにしてもよい。
【００２５】
このような形態のミニチュア写真スタジオ２０は、カメラＫに付属するストロボＫ１の光線Ｐ１を最大限に活用し、したがって、補助的な照明手数を省いて一定品質の商品写真を撮影することができる。これは、リフレクタ板２１を自由に屈曲させることによって、ストロボＫ１からの光線Ｐ１が被写体Ｍに集光するようにできるからである（図３）。この際、リフレクタ板２１は、ストロボ光に対して乱反射特性をも有するため、光沢性表面の被写体Ｍにおいても、ハイライト等の写真欠陥の発生が最小限に抑えられる。
【００２６】
ストロボ撮影用のミニチュア写真スタジオ２０は、収納筒２５を付属するものとすることができる（図４）。収納筒２５は、紙管からなる筒本体２５Ａと筒蓋２５Ｂとからなり、ロール芯２２に巻き取ったリフレクタ板２１全体を収納可能なサイズに設定されている。収納形態が極めてコンパクトであり、保存性にも優れる。このような収納筒２５は、既製品から選択することもできる。
【００２７】
ストロボ撮影用のミニチュア写真スタジオ２０におけるリフレクタ板２１は、延長リフレクタ板２１Ｌを備えるものとすることができる（図５）。延長リフレクタ板２１Ｌは、より大きな撮影スペースを形成することを目的とするものであり、リフレクタ板２１と同一の構成を有する。延長リフレクタ板２１Ｌを有する形態のリフレクタ板２１においては、側端縁位置の平面紙２１Ｂ側に着脱自在の貼着手段２１Ｓ，２１Ｓ…が設けられるとともに、延長リフレクタ板２１Ｌ側においても、その平面紙２１Ｂに連結片２１Ｄが設けられ、この連結片２１Ｄに対応する貼着手段２１Ｓ，２１Ｓ…が配設される。貼着手段２１Ｓとしては、面ファスナやテープマグネットを断片的に用いることができる。延長リフレクタ板２１Ｌのサイズは任意である。なお、延長リフレクタ板２１Ｌを備えることによって収納筒２５に収納し切れなくなる場合には、延長リフレクタ板２１Ｌを収納筒２５の外側に巻き付ければ足りる。
【図面の簡単な説明】
【００２８】
【図１】本発明の実施の形態を示す全体斜視図である。
【図２】上記実施の形態におけるリフレクタ板の動作説明図である。
【図３】上記実施の形態を示す平面図である。
【図４】本発明の他の実施の形態を示す収納状態の斜視図である。
【図５】本発明の他の実施の形態を示す要部の斜視図である。
【符号の説明】
【００２９】
Ｍ        被写体
２０      ミニチュア写真スタジオ
２１      リフレクタ板
２１Ａ    コルゲート紙
２１Ｂ    平面紙
２１Ｃ    切欠き部
２１Ｄ    連結片
２１Ｌ    延長リフレクタ板
２１Ｓ    貼着手段
２２      ロール芯
２３      背景幕
２５      収納筒
【図１】
2008065241.tif 000003
【図２】
2008065241.tif 000004
【図３】
2008065241.tif 000005
【図４】
2008065241.tif 000006
【図５】
2008065241.tif 000007